【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
現像剤を用いて画像を形成する画像形成装置であって、
前記現像剤を収容する現像剤収容容器と、
前記現像剤収容容器内の現像剤残量を逐次検知できる現像剤残量検知手段と、
前記現像剤残量検知手段からの検知出力を第１の統計的手法により処理して、現像剤残量を確定すること、及び、前記現像剤残量検知手段からの検知出力を、前記第１の統計的手法とは異なる第２の統計的手法により処理して、現像剤残量を確定することが可能な処理手段と、
前記第２の統計手法によって処理されて得られた現像剤残量に基づいて、前記画像形成装置の状態を判断する判断手段と、を有することを特徴とする画像形成装置。
【請求項２】
前記画像形成装置は、画像形成動作が開始されるより以前に、前記現像剤残量検知手段からの検知出力を、前記第２の統計的手法により処理して現像剤残量を確定することを特徴とする請求項１に記載の画像形成装置。
【請求項３】
現像剤収容容器と、現像剤収容容器内の現像剤残量を逐次検知できる現像剤残量検知手段と、を備えたカートリッジが着脱可能な画像形成装置であって、
前記カートリッジ又は画像形成装置の本体に前記現像剤残量検知手段からの検知出力を第１の統計的手法により処理して、現像剤残量を確定する処理手段を設け、
前記処理手段は、前記画像形成装置の本体にカートリッジを挿着した直後には、前記現像剤残量検知手段からの検知出力を、前記第１の統計的手法とは異なる第２の統計的手法により処理して、現像剤残量を確定することを特徴とする画像形成装置。
【請求項４】
現像剤を用いて画像を形成する画像形成装置であって、
現像剤収容容器と、
前記現像剤収容容器内の現像剤残量を逐次検知できる現像剤残量検知手段と、
前記現像剤残量検知手段からの検知出力を第１の統計的手法により処理して、現像剤残量を確定する処理手段と、
確定された現像剤残量を記憶する記憶手段と、
前記現像剤残量検知手段の検知出力を、前記第１の統計的手法とは異なる第２の統計的手法により処理して現像剤残量を確定し、確定した現像剤残量と前記記憶手段に記憶されている現像剤残量とを比較する比較手段と、
比較手段の比較結果に基づいて前記画像形成装置の状態を判断する判断手段と、を有することを特徴とする画像形成装置。
【請求項５】
前記画像形成装置は、画像形成動作が開始されるより以前に、現像剤残量検知手段からの検知出力を、前記第２の統計的手法により処理して現像剤残量を確定することを特徴とする請求項４に記載の画像形成装置。
【請求項６】
前記比較手段は、前記第２の統計的手法により確定した現像剤残量と前記記憶手段に記憶されている現像剤残量の差を比較するものであり、
前記判断手段は、前記比較手段の比較の結果、前記差の値が所定量より大きい場合、前記画像形成装置の異常と判断することを特徴とする請求項４又は５に記載の画像形成装置。
【請求項７】
前記画像形成装置は、前記記憶手段に装置の異常を判断したことを示す情報を書き込む、書き込み手段を備えたことを特徴とする請求項６に記載の画像形成装置。
【請求項８】
前記画像形成装置は、装置の異常を判断したことを示す情報を出力する出力手段を有し、前記出力手段は、前記装置が備える情報表示部及び／又は前記装置と通信可能なディスプレイを有する機器に、装置の異常を表示することを特徴とする請求項６に記載の画像形成装置。
【請求項９】
現像剤収容容器と、前記現像剤収容容器内の現像剤残量を逐次検知できる現像剤残量検知手段と、現像剤残量に係わる情報を記憶する記憶手段とを備えたカートリッジが着脱可能な画像形成装置であって、
前記カートリッジ又は画像形成装置の本体に現像剤残量検知手段の検知出力を第１の統計的手法により処理して、現像剤残量を確定する処理手段を設け、
前記処理手段は、前記画像形成装置の本体にカートリッジを挿着した直後には、前記現像剤残量検知手段の検知出力を、前記第１の統計的手法とは異なる第２の統計的手法により処理して現像剤残量を確定し、
確定した現像剤残量と前記記憶手段に記憶されている現像剤残量とを比較する比較手段と、
比較手段の比較結果に基づいて前記画像形成装置の状態を判断する判断手段と、を有することを特徴とする画像形成装置。
【請求項１０】
前記比較手段は、前記第２の統計的手法により確定した現像剤残量と前記記憶手段に記憶されている現像剤残量の差の値を比較するものであり、
前記判断手段は、前記比較手段の比較の結果、前記差の値が所定量より大きい場合、前記画像形成装置の本体及び／又はカートリッジの異常と判断することを特徴とする請求項９に記載の画像形成装置。
【請求項１１】
前記画像形成装置の本体又はカートリッジは、前記記憶手段に前記画像形成装置の本体及び／又はカートリッジの異常を判断したことを示す情報を書き込む、書き込み手段を備えたことを特徴とする請求項１０に記載の画像形成装置。
【請求項１２】
前記画像形成装置本体又はカートリッジは、前記画像形成装置の本体及び／又はカートリッジの異常を判断したことを示す情報を出力する出力手段を有し、
前記出力手段は、前記画像形成装置の本体が備える情報表示部及び／又は前記画像形成装置の本体と通信可能なディスプレイを有する機器に、前記画像形成装置の本体及び／又はカートリッジの異常を表示することを特徴とする請求項１０に記載の画像形成装置。
【請求項１３】
現像剤収容容器と、前記現像剤収容容器内の現像剤残量を逐次検知できる残量検知手段と、現像剤残量に係わる情報を記憶する記憶手段と、を備えるカートリッジが着脱可能な画像形成装置であって、
ページ記述言語で表された画像情報を展開する展開手段と、
展開された画像情報に基づき出力画像を形成する画像形成手段と、を備え、
前記画像形成手段は、前記現像剤残量検知手段からの検知出力を第１の統計的手法により処理して、現像剤残量を確定する処理手段を備え、
前記画像形成装置の本体にカートリッジを挿着した直後には、前記現像剤残量検知手段からの検知出力を、前記第１の統計的手法とは異なる第２の統計的手法により処理して現像剤残量を確定し、
前記展開手段は、確定した現像剤残量と前記記憶手段に記憶されている現像剤残量とを比較する比較手段と、前記比較手段の比較結果に基づいて前記画像形成装置の状態を判断する判断手段と、を備えることを特徴とする画像形成装置。
【請求項１４】
前記確定した現像剤残量と前記記憶手段に記憶されている現像剤残量とが、前記画像形成手段から前記展開手段へと出力されることを特徴とする請求項１３に記載の画像形成装置。
【請求項１５】
前記画像形成手段から前記展開手段への出力は、ビデオインタフェースを介して行われることを特徴とする請求項１４に記載の画像形成装置。
【請求項１６】
前記比較手段は、前記確定した現像剤残量と前記記憶手段に記憶されている現像剤残量の差を比較するものであり、
前記判断手段は、前記比較手段の比較結果が所定量より大きい場合、前記画像形成装置の本体及び／又はカートリッジの異常と判断することを特徴とする請求項１３に記載の画像形成装置。
【手続補正２】
【補正対象書類名】明細書
【補正対象項目名】００１６
【補正方法】変更
【補正の内容】
【００１６】
第１の本発明によると、現像剤を用いて画像を形成する画像形成装置であって、
前記現像剤を収容する現像剤収容容器と、
前記現像剤収容容器内の現像剤残量を逐次検知できる現像剤残量検知手段と、
前記現像剤残量検知手段からの検知出力を第１の統計的手法により処理して、現像剤残量を確定すること、及び、前記現像剤残量検知手段からの検知出力を、前記第１の統計的手法とは異なる第２の統計的手法により処理して、現像剤残量を確定することが可能な処理手段と、
前記第２の統計手法によって処理されて得られた現像剤残量に基づいて、前記画像形成装置の状態を判断する判断手段と、を有することを特徴とする画像形成装置が提供される。本発明の一実施態様によると、前記画像形成装置は、画像形成動作が開始されるより以前に、前記現像剤残量検知手段からの検知出力を、前記第２の統計的手法により処理して現像剤残量を確定する。
【手続補正３】
【補正対象書類名】明細書
【補正対象項目名】００１７
【補正方法】変更
【補正の内容】
【００１７】
第２の本発明によると、現像剤収容容器と、現像剤収容容器内の現像剤残量を逐次検知できる現像剤残量検知手段と、を備えたカートリッジが着脱可能な画像形成装置であって、
前記カートリッジ又は画像形成装置の本体に前記現像剤残量検知手段からの検知出力を第１の統計的手法により処理して、現像剤残量を確定する処理手段を設け、
前記処理手段は、前記画像形成装置の本体にカートリッジを挿着した直後には、前記現像剤残量検知手段からの検知出力を、前記第１の統計的手法とは異なる第２の統計的手法により処理して、現像剤残量を確定することを特徴とする画像形成装置が提供される。
【手続補正４】
【補正対象書類名】明細書
【補正対象項目名】００１８
【補正方法】変更
【補正の内容】
【００１８】
第３の本発明によると、現像剤を用いて画像を形成する画像形成装置であって、
現像剤収容容器と、
前記現像剤収容容器内の現像剤残量を逐次検知できる現像剤残量検知手段と、
前記現像剤残量検知手段からの検知出力を第１の統計的手法により処理して、現像剤残量を確定する処理手段と、
確定された現像剤残量を記憶する記憶手段と、
前記現像剤残量検知手段の検知出力を、前記第１の統計的手法とは異なる第２の統計的手法により処理して現像剤残量を確定し、確定した現像剤残量と前記記憶手段に記憶されている現像剤残量とを比較する比較手段と、
比較手段の比較結果に基づいて前記画像形成装置の状態を判断する判断手段と、を有することを特徴とする画像形成装置が提供される。本発明の一実施態様によると、前記画像形成装置は、画像形成動作が開始されるより以前に、現像剤残量検知手段からの検知出力を、前記第２の統計的手法により処理して現像剤残量を確定する。他の実施態様によると、前記比較手段は、前記第２の統計的手法により確定した現像剤残量と前記記憶手段に記憶されている現像剤残量の差を比較するものであり、前記判断手段は、前記比較手段の比較の結果、前記差の値が所定量より大きい場合、前記画像形成装置の異常と判断する。他の実施態様によると、前記画像形成装置は、前記記憶手段に装置の異常を判断したことを示す情報を書き込む、書き込み手段を備えている。更に他の実施態様によると、前記画像形成装置は、装置の異常を判断したことを示す情報を出力する出力手段を有し、前記出力手段は、前記装置が備える情報表示部及び／又は前記装置と通信可能なディスプレイを有する機器に、装置の異常を表示する。
【手続補正５】
【補正対象書類名】明細書
【補正対象項目名】００１９
【補正方法】変更
【補正の内容】
【００１９】
第４の本発明によると、現像剤収容容器と、前記現像剤収容容器内の現像剤残量を逐次検知できる現像剤残量検知手段と、現像剤残量に係わる情報を記憶する記憶手段とを備えたカートリッジが着脱可能な画像形成装置であって、
前記カートリッジ又は画像形成装置の本体に現像剤残量検知手段の検知出力を第１の統計的手法により処理して、現像剤残量を確定する処理手段を設け、
前記処理手段は、前記画像形成装置の本体にカートリッジを挿着した直後には、前記現像剤残量検知手段の検知出力を、前記第１の統計的手法とは異なる第２の統計的手法により処理して現像剤残量を確定し、
確定した現像剤残量と前記記憶手段に記憶されている現像剤残量とを比較する比較手段と、
比較手段の比較結果に基づいて前記画像形成装置の状態を判断する判断手段と、を有することを特徴とする画像形成装置が提供される。本発明の一実施態様によると、前記比較手段は、前記第２の統計的手法により確定した現像剤残量と前記記憶手段に記憶されている現像剤残量の差の値を比較するものであり、前記判断手段は、前記比較手段の比較の結果、前記差の値が所定量より大きい場合、前記画像形成装置の本体及び／又はカートリッジの異常と判断する。他の実施態様によると、前記画像形成装置の本体又はカートリッジは、前記記憶手段に前記画像形成装置の本体及び／又はカートリッジの異常を判断したことを示す情報を書き込む、書き込み手段を備えている。他の実施態様によると、前記画像形成装置本体又はカートリッジは、前記画像形成装置の本体及び／又はカートリッジの異常を判断したことを示す情報を出力する出力手段を有し、前記出力手段は、前記画像形成装置の本体が備える情報表示部及び／又は前記画像形成装置の本体と通信可能なディスプレイを有する機器に、前記画像形成装置の本体及び／又はカートリッジの異常を表示する。
【手続補正６】
【補正対象書類名】明細書
【補正対象項目名】００２０
【補正方法】変更
【補正の内容】
【００２０】
第５の本発明によると、現像剤収容容器と、前記現像剤収容容器内の現像剤残量を逐次検知できる残量検知手段と、現像剤残量に係わる情報を記憶する記憶手段と、を備えるカートリッジが着脱可能な画像形成装置であって、
ページ記述言語で表された画像情報を展開する展開手段と、
展開された画像情報に基づき出力画像を形成する画像形成手段と、を備え、
前記画像形成手段は、前記現像剤残量検知手段からの検知出力を第１の統計的手法により処理して、現像剤残量を確定する処理手段を備え、
前記画像形成装置の本体にカートリッジを挿着した直後には、前記現像剤残量検知手段からの検知出力を、前記第１の統計的手法とは異なる第２の統計的手法により処理して現像剤残量を確定し、
前記展開手段は、確定した現像剤残量と前記記憶手段に記憶されている現像剤残量とを比較する比較手段と、前記比較手段の比較結果に基づいて前記画像形成装置の状態を判断する判断手段と、を備えることを特徴とする画像形成装置が提供される。本発明の一実施態様によると、前記確定した現像剤残量と前記記憶手段に記憶されている現像剤残量とが、前記画像形成手段から前記展開手段へと出力される。他の実施態様によると、前記画像形成手段から前記展開手段への出力は、ビデオインタフェースを介して行われる。更に他の実施態様によると、前記比較手段は、前記確定した現像剤残量と前記記憶手段に記憶されている現像剤残量の差を比較するものであり、前記判断手段は、前記比較手段の比較結果が所定量より大きい場合、前記画像形成装置の本体及び／又はカートリッジの異常と判断する。